(57)【要約】 【課題】  端子金具をハウジングに組み付ける際の作業効率の向上を図る。【解決手段】  ハウジング１１へ組付ける前の第１端子金具２０ａ（端子金具）は、連鎖端子３０を構成するキャリア３１の側縁から並列状態で延出した形態であり、電線接続部２１ａの前端においては、キャリア３１とタブ２２ａが互いに直角な方向へ延出している。これにより、複数の端子金具２０ａを、キャリア３１に連ねた状態のままでハウジング１１に対してタブ２２ａを挿入するようにしてワンアクションで組み付けることができる。したがって、端子金具をキャリアから切り離して個別に組み付ける場合に比べて、作業効率がよい。【選択図】  図１０
2005123079.tif 000002
【特許請求の範囲】
【請求項１】
複数の電線を並列させた形態のフラットケーブルに接続されるコネクタであって、
前端部に細長く突出するタブを有し、後端部に前記フラットケーブルの電線に接続される電線接続部を有する端子金具と、
前記端子金具を並列させて保持するハウジングとを備え、
前記端子金具が、前記ハウジングへの組付け前の状態では連鎖端子を構成するキャリアの側縁から並列状態で延出した形態とされており、
前記ハウジングへの組付けの際には、前記タブを前記ハウジングの外面側からその内部に挿入することによって行われるようになっているものにおいて、
前記電線接続部の前端において、前記キャリアと前記タブが互いに直角な方向又は互いに反対の方向へ延出する形態とされていることを特徴とするコネクタ。    
【請求項２】
前記連鎖端子には、前記電線接続部と前記キャリアとの境界に沿って表面をスリット状に凹ませた形態の破断部が形成されていることを特徴とする請求項１記載のコネクタ。
【請求項３】
前記端子金具が前記ハウジングに組み付けられた状態では、前記電線接続部が前記ハウジングの外面に当接する構成とされていることを特徴とする請求項１又は請求項２記載のコネクタ。
【請求項４】
複数の電線を並列させた形態のフラットケーブルに接続されるコネクタを構成する端子金具であって、
前端部には細長く突出するタブを有し、後端部には前記フラットケーブルの電線に接続される電線接続部を有しており、
ハウジングには並列した状態で保持されるようになっており、
前記ハウジングへの組付け前の状態では連鎖端子を構成するキャリアの側縁から並列状態で延出した形態とされており、
前記ハウジングへの組付けの際には、前記タブを前記ハウジングの外面側からその内部に挿入することによって行われるようになっているものにおいて、
前記電線接続部の前端においては、前記キャリアと前記タブが互いに直角な方向又は互いに反対の方向へ延出する形態とされていることを特徴とする端子金具。
【請求項５】
前記連鎖端子には、前記電線接続部と前記キャリアとの境界に沿って表面をスリット状に凹ませた形態の破断部が形成されていることを特徴とする請求項４記載の端子金具。
【請求項６】
前記ハウジングに組み付けられた状態では、前記電線接続部が前記ハウジングの外面に当接する構成とされていることを特徴とする請求項４又は請求項５に記載の端子金具。
【発明の詳細な説明】
【技術分野】
【０００１】
本発明は、フラットケーブル用のコネクタ及びそのコネクタを構成する端子金具に関するものである。
【背景技術】
【０００２】
複数本の電線を並列させた形態のフラットケーブルに接続されるコネクタとして、特許文献１に開示されているものがある。これは、合成樹脂製のハウジングに、複数の端子金具を並列して組み付けたものであり、端子金具は、フラットケーブルの電線に接続される電線接続部と、回路基板に接続されるタブとを有し、タブをハウジングに挿入するようにして組み付けられる。
【特許文献１】実開昭５６−６２６８６号公報
【発明の開示】
【発明が解決しようとする課題】
【０００３】
上記従来のものでは、端子金具が、そのタブの先端において細長いキャリアの側縁に支持されており、端子金具をハウジングに組み付ける際には、予め、各端子金具をキャリアから切り離しておくようになっていた。そのため、ハウジングに対する組付けも、各端子金具毎に個別に行うようになっており、組付け工数が多くなるという問題があった。
【０００４】
本発明は上記のような事情に基づいて完成されたものであって、端子金具をハウジングに組み付ける際の作業効率の向上を図ることを目的とする。
【課題を解決するための手段】
【０００５】
上記の目的を達成するための手段として、請求項１の発明は、複数の電線を並列させた形態のフラットケーブルに接続されるコネクタであって、
前端部に細長く突出するタブを有し、後端部に前記フラットケーブルの電線に接続される電線接続部を有する端子金具と、
前記端子金具を並列させて保持するハウジングとを備え、
前記端子金具が、前記ハウジングへの組付け前の状態では連鎖端子を構成するキャリアの側縁から並列状態で延出した形態とされており、
前記ハウジングへの組付けの際には、前記タブを前記ハウジングの外面側からその内部に挿入することによって行われるようになっているものにおいて、
前記電線接続部の前端において、前記キャリアと前記タブが互いに直角な方向又は互いに反対の方向へ延出する形態とされているところに特徴を有する。
【０００６】
請求項２の発明は、請求項１に記載のものにおいて、前記連鎖端子には、前記電線接続部と前記キャリアとの境界に沿って表面をスリット状に凹ませた形態の破断部が形成されているところに特徴を有する。
【０００７】
請求項３の発明は、請求項１又は請求項２の発明において、前記端子金具が前記ハウジングに組み付けられた状態では、前記電線接続部が前記ハウジングの外面に当接する構成とされているところに特徴を有する。
【０００８】
請求項４の発明は、複数の電線を並列させた形態のフラットケーブルに接続されるコネクタを構成する端子金具であって、
前端部には細長く突出するタブを有し、後端部には前記フラットケーブルの電線に接続される電線接続部を有しており、
ハウジングには並列した状態で保持されるようになっており、
前記ハウジングへの組付け前の状態では連鎖端子を構成するキャリアの側縁から並列状態で延出した形態とされており、
前記ハウジングへの組付けの際には、前記タブを前記ハウジングの外面側からその内部に挿入することによって行われるようになっているものにおいて、
前記電線接続部の前端においては、前記キャリアと前記タブが互いに直角な方向又は互いに反対の方向へ延出する形態とされているところに特徴を有する。
【０００９】
請求項５の発明は、請求項４に記載のものにおいて、前記連鎖端子には、前記電線接続部と前記キャリアとの境界に沿って表面をスリット状に凹ませた形態の破断部が形成されているところに特徴を有する。
【００１０】
請求項６の発明は、請求項４又は請求項５の発明において、前記ハウジングに組み付けられた状態では、前記電線接続部が前記ハウジングの外面に当接する構成とされているところに特徴を有する。
【発明の効果】
【００１１】
＜請求項１及び請求項４の発明＞
電線接続部の前端においては、キャリアとタブが互いに直角な方向又は互いに反対の方向へ延出しているので、複数の端子金具を、キャリアに連ねた状態のままでハウジングに対してタブを挿入するようにしてワンアクションで組み付けることができる。したがって、端子金具をキャリアから切り離して個別に組み付ける場合に比べて、作業効率がよい。
【００１２】
＜請求項２及び請求項５の発明＞
端子金具をハウジングに組み付けた後は、破断部を支点としてキャリアを傾けるようにすれば、キャリアが電線接続部から切り離される。したがって、切断のためのカッタや治具などが不要である。
【００１３】
＜請求項３及び請求項６の発明＞
端子金具をハウジングに組み付けた状態では、電線接続部がハウジングの外面に当接することにより、その端子金具がハウジングに対して所定の組付け位置に位置決めされる。
【発明を実施するための最良の形態】
【００１４】
＜実施形態１＞
以下、本発明を具体化した実施形態１を図１乃至図２１を参照して説明する。この説明の中で、前後方向については、図２における左側を前側ということにする。
【００１５】
本実施形態のコネクタ１０は、複数の電線４１を左右方向（水平）に並列させた状態でホルダ４４により一体化させた形態の上下２つのフラットケーブル４０の端末部に接続されるものであり、左右方向に細長い樹脂製のハウジング１１と、このハウジング１１に取り付けられる複数の第１端子金具２０ａ（本発明の構成要件である端子金具）と、複数の第２端子金具２０ｂと、ハウジング１１及び端子金具２０ａ，２０ｂと電線４１との接続部分を覆い隠すカバー１９とを備えている。
【００１６】
ハウジング１１には、後方へ片持ち状に且つ水平に延出する保持壁１２が形成され、この保持壁１２の上下両面には、電線４１の並列ピッチと同ピッチで浅い凹部１３ａ，１３ｂが形成されている。また、保持壁１２の上下両面における凹部１３ａ，１３ｂよりも後方の位置には、複数の突起状の仕切部１４ａ，１４ｂが隣接する凹部１３ａ，１３ｂの間に位置するように形成されている。
【００１７】
ハウジング１１の前端部には、上面側の凹部１３ａの前端位置からハウジング１１の下面側へ貫通する上下方向の細長い圧入孔１５が形成されている。同じくハウジング１１の前端部には、下面側の凹部１３ｂの前端に連なって後方に面する形態の上下に細長い圧入溝１６が、圧入孔１５とほぼ同じ高さ領域で且つ圧入孔１５に対して右方へずれた位置に形成されている。ハウジング１１の前端部下面には、左右方向（即ち、電線４１と端子金具２０ａ，２０ｂの並列方向）に連続する支持壁１７が、圧入孔１５よりも下方の領域に位置し且つ下向きに片持ち状に延出する形態で形成されており、この支持壁１７の後面は圧入孔１５の前側の内面に対して面一状に連なっている。また、圧入溝１６の溝底面（後面）と支持壁１７の後面とは段差状に連なり、圧入溝１６の溝底面（後方に臨む面）は支持壁１７の後面に対して後方へずれて位置している。
【００１８】
上記ハウジング１１には、第１端子金具２０ａと第２端子金具２０ｂの２種類の端子金具が組み付けられている。第１端子金具２０ａは、前後方向に長い板状をなすとともに後端部が上方へ立ち上げられた第１電線接続部２１ａと、この第１電線接続部２１ａの前端縁からほぼ直角に下向きに延出する第１タブ２２ａとからなる。第１電線接続部２１ａには、その前後方向における略中央位置から後端（立上り部の上端）に至るスリット２３が形成されており、このスリット２３に電線４１の芯線４２が挟み込まれるようになっている。第１電線接続部２１ａの略前半部分（スリット２３よりも前方の領域）は、右側縁が前後方向に延びているのに対し、左側縁が斜め左前方へ傾いた方向に延びており、したがって、第１電線接続部２１ａはその前端において最も幅広となっている。
【００１９】
この第１電線接続部２１ａの前端縁のうち略左半分領域に、第１タブ２２ａが連なっている。この第１タブ２２ａの位置は、左右方向において第１電線接続部２１ａの幅方向中心（スリット２３）から左方向へずれて位置している。一方、第１電線接続部２１ａの前端縁における略右半分領域は、第１タブ２２ａよりも少し後方に退避しており、第１端子金具２０ａがハウジング１１に組み付けられる前の状態では、この第１電線接続部２１ａの略右半分領域に連鎖端子３０のキャリア３１に形成した延出部３３が連なっている。この延出部３３に連なる領域は、左右方向において第１電線接続部２１ａの幅方向中央と同じ位置にあり、左右方向において後述する第２タブ２２ｂと対応するように位置する。
【００２０】
連鎖端子３０は、図９〜図１２に示すように、細長い帯板状をなすキャリア本体３２の側縁（ジョイントコネクタを基準にすると後縁）から複数の延出部３３を面一状に且つフラットケーブル４０の電線４１と同一ピッチで延出させてなるキャリア３１を有し、各延出部３３の延出端に第１端子金具２０ａを支持（一体形成）したものである。キャリア３１の延出部３３と第１電線接続部２１ａとは面一状に連なっているのに対し、第１タブ２２ａと延出部３３（キャリア３１）とは互いに直角の向きとなっている。また、連鎖端子３０の上面には、第１電線接続部２１ａと延出部３３との境界に沿って表面を左右方向のスリット２３状に凹ませた形態の破断部３４が形成されている。
【００２１】
かかる第１端子金具２０ａをハウジング１１に組み付ける際には、第１端子金具２０ａが連鎖端子３０に支持されている状態のままで、その連鎖端子３０をハウジング１１の上方から第１タブ２２ａを下向きにした姿勢でその第１タブ２２ａの突出方向と同方向（下向き）に下降させ、全ての第１タブ２２ａを各圧入孔１５に一括して圧入する。連鎖端子３０及び第１端子金具２０ａが正規の位置まで下降して圧入が完了すると、第１電線接続部２１ａがハウジング１１の上面側の凹部１３ａに収容されてその底面に当接する（載置される）。この状態では、第１タブ２２ａの略上半分が圧入孔１５内に収容（圧入）されて抜止め状態に保持されるるとともに、第１タブ２２ａの略下半分が支持壁１７の後面に沿って外部に露出した形態で配される。
【００２２】
この後、キャリア３１をハウジング１１に対し破断部３４を支点として相対的に上方へ傾動させることにより、破断部３４が破断され、この破断により第１端子金具２０ａの第１電線接続部２１ａとキャリア３１の延出部３３とが切り離される。
【００２３】
一方、第２端子金具２０ｂは、前後方向に長い板状をなすとともに後端部が下方へ曲げられた第２電線接続部２１ｂと、この第２電線接続部２１ｂの前端縁から下方へ略直角に曲げられて更に段差状（階段状）に屈曲されることで先端をほぼ直角に下向きとした第２タブ２２ｂとからなる。第２電線接続部２１ｂには、その前後方向における略中央位置から後端に至るスリット２３が形成されており、このスリット２３に電線４１の芯線４２が挟み込まれるようになっている。第２電線接続部２１ｂの略前半部分（スリット２３よりも前方の領域）は、ほぼ一定の幅で延びており、この第２電線接続部２１ｂの前端縁の幅方向中央位置に第２タブ２２ｂが連なっている。第２端子金具２０ｂがハウジング１１に組み付けられる前の状態では、この第２タブ２２ｂの下端に連鎖端子（図示せず）のキャリアがほぼ面一に連なっている。
【００２４】
かかる第２端子金具２０ｂをハウジング１１に組み付ける際には、第２端子金具２０ｂが連鎖端子に支持されている状態のままで、その連鎖端子３０を斜め下後方からハウジング１１に接近させ、第２電線接続部２１ｂをハウジング１１の下面側の凹部１３ｂの上面に当接させつつ、第２タブ２２ｂの略上半部分を圧入溝１６に圧入させる。この圧入により、第２端子金具２０ｂはハウジング１１への組み付け状態に保持される。この状態では、第２タブ２２ｂの略下半分が支持壁１７の後面に沿って外部に露出した形態で配される。また、第２タブ２２ｂの下端に連なるキャリア（図示せず）がハウジング１１の下方へほぼ真下へ突出した状態となっており、このキャリアをハウジング１１（第２端子金具２０ｂ）に対して第２タブ２２ｂの下端を支点として相対的に前方又は後方へ傾動させることにより、キャリア３１が第２タブ２２ｂから切り離される。
【００２５】
ハウジング１１に第１端子金具２０ａと第２端子金具２０ｂを組み付けた状態では、保持壁１２の上面側に第１端子金具２０ａの第１電線接続部２１ａが左右に並列して配置されているとともに、保持壁１２の下面側に第２端子金具２０ｂの第２電線接続部２１ｂが左右に並列して配置される。第１電線接続部２１ａと第２電線接続部２１ｂの並列ピッチは互いに同一であり、且つ第１電線接続部２１ａと第２電線接続部２１ｂとは、互いに上下に対応するように（左右方向において同じ位置となるように）配置されている。
【００２６】
また、第１タブ２２ａは、左右方向において第１電線接続部２１ａ及び第２電線接続部２１ｂに対して左方へずれた位置に配置されており、そのずれ量は第１電線接続部２１ａ及び第２電線接続部２１ｂの並列ピッチの１／２となっている。一方、第２タブ２２ｂは、左右方向において第１電線接続部２１ａ及び第２電線接続部２１ｂと合致する位置（対応する位置）に配置されている。また、第１タブ２２ａと第２タブ２２ｂとは、第１及び第２電線接続部２１ａ，２１ｂの並列方向（左右方向）及び第１及び第２タブ２２ａ，２２ｂの突出方向（下向き方向）の両方向に対して略直角な方向（前後方向）において、互いに位置ずれせずに配置されている。側方から視たときには、第１タブ２２ａと第２タブ２２ｂは互いに重なっており、また、前方又は後方から視たときには、第１タブ２２ａと第２タブ２２ｂは交互に一定ピッチで配置されている。つまり、第１タブ２２ａと第２タブ２２ｂは左右方向において一列に並列されている。また、第１タブ２２ａの下端と第２タブ２２ｂの下端とはほぼ同じ高さに揃っている。そして、支持壁１７の後面においては、第１タブ２２ａと第２タブ２２ｂとを交互に且つ一定ピッチで一列に配列して構成されたタブ群が配置されている（図５及び図６を参照）。
【００２７】
かかるコネクタ１０にはフラットケーブル４０が接続される。フラットケーブル４０を構成する電線４１は、金属製の芯線４２を絶縁性の樹脂被覆４３で包囲した形態であり、電線４１の端末部（前端部）では樹脂被覆４３が剥き取られて芯線４２の前端部が露出されている。そして、芯線４２が電線接続部２１ａ，２１ｂのスリット２３に嵌入して圧接させることにより各電線４１と端子金具２０ａ，２０ｂとが導通可能に接続される。
【００２８】
フラットケーブル４０が接続されたコネクタ１０は、回路基板（図示せず）の上面に実装された基板側コネクタ５０に嵌合される。基板側コネクタ５０は、左右方向に細長いブロック状をなす基板側ハウジング５１に、回路基板の回路（図示せず）に接続される複数の基板側端子５２を左右に並列して取り付けたものである。基板側ハウジング５１の上面に開口させたキャビティ５３内には、前後一対の挟持片５２ａを上向きに突出させたフォーク型をなす基板側端子５２が左右に並列して配されており、この基板側端子５２の並列ピッチは、第１タブ２２ａと第２タブ２２ｂとを交互に配列して構成されたタブ群の並列ピッチと同じピッチであり、第１端子金具２０ａ及び第２端子金具２０ｂの並列ピッチの１／２となっている。
【００２９】
かかる基板側コネクタ５０に本実施形態のコネクタ１０を嵌合すると、図２及び図３に示すように、各基板側端子５２の挟持片５２ａの隙間に支持壁１７と第１タブ２２ａ又は支持壁１７と第２タブ２２ｂが弾性的に挟圧され、もって、基板側端子５２と第１端子金具２０ａ又は基板側端子５２と第２端子金具２０ｂが所定の接触圧で導通可能に接続される。
【００３０】
上述のように本実施形態のコネクタ１０は、複数の第１端子金具２０ａを並列させて保持するとともに、複数の第２端子金具２０ｂを並列させて保持するハウジング１１を備え、ハウジング１１の上段側に並列された第１電線接続部２１ａとハウジング１１の下段側に並列された第２電線接続部２１ｂとが、互いに同じ並列ピッチで且つ上下に対応するように配されているのであるが、第１電線接続部２１ａに対する第１タブ２２ａの位置関係と、第２電線接続部２１ｂに対する第２タブ２２ｂの位置関係とが、並列方向において互いに異なる形態とすることで、第１タブ２２ａと第２タブ２２ｂとが交互に配されて一列に並列された状態としている。したがって、第１タブと第２タブが前後２列に分かれて並列されているものと比較して小型化が図られている。
【００３１】
また、第１端子金具２０ａは、ハウジング１１への組付け前の状態では連鎖端子３０を構成するキャリア３１の側縁から並列状態で延出した形態とされており、ハウジング１１への組付けの際には、第１タブ２２ａをハウジング１１の外面側からその内部（圧入孔１５）に挿入（圧入）することによって行われるようになっているのであるが、第１電線接続部２１ａの前端において、キャリア３１と第１タブ２２ａが互いに直角な方向へ延出する形態とされている。したがって、複数の第１端子金具２０ａを、キャリア３１に連ねた状態のままでハウジング１１に対して第１タブ２２ａを挿入するようにしてワンアクションで組み付けることができ、第１端子金具をキャリアから切り離して個別に組み付ける場合に比べて、作業効率がよい。
【００３２】
また、連鎖端子３０には、第１電線接続部２１ａとキャリア３１の延出端との境界に沿って表面をスリット２３状に凹ませた形態の破断部３４が形成されているので、第１端子金具２０ａをハウジング１１に組み付けた後は、破断部３４を支点としてキャリア３１を傾けるようにすれば、キャリア３１を第１電線接続部２１ａから切り離すことができ、切断のためのカッタや治具などが不要となっている。
【００３３】
また、連鎖端子３０及び第１端子金具２０ａをハウジング１１に組み付けた状態では、第１電線接続部２１ａがハウジング１１の外面、即ち凹部１３ａの底面に当接するようになっているので、第１端子金具２０ａがハウジング１１に対して所定の組付け位置に位置決めされる。
【００３４】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３５】
（１）上記実施形態ではタブとキャリアとが互いに直角を向くようにしたが、本発明によれば、タブがキャリアとは反対方向へ突出するようにしてもよい。
【００３６】
（２）上記実施形態ではタブと電線接続部とが直角をなすようにしたが、本発明によれば、タブと電線接続部とがほぼ面一をなすようにしてもよい。
【００３７】
（３）上記実施形態では電線接続部に対して電線が圧接により接続されるようにしたが、本発明によれば、電線接続部に対して電線が半田付けなどの他の手段によって接続されるようにしてもよい。
【００３８】
（４）上記実施形態では相手側コネクタが基板側コネクタである場合について説明したが、本発明は、相手側コネクタが基板側コネクタ以外のコネクタの場合にも適用できる。
【００３９】
（５）上記実施形態では相手側端子がタブを両側から挟むことにより接触圧を確保するようにしたフォーク型のものである場合について説明したが、本発明は、相手側端子がフォーク型以外の形態（例えば、弾性接触片を有するもの）の場合にも適用できる。
【００４０】
（６）上記実施形態では１つのハウジングに第１端子金具と第２端子金具との２種類の端子金具を組み付けたが、本発明によれば、１つのハウジングに１種類の端子金具を組み付けるようにしてもよい。
【００４１】
（７）上記実施形態では破断部を連鎖端子の上面側のみに形成したが、本発明によれば、破断部は、上面側と下面側の両方に形成してもよく、下面側のみに形成してもよい。
【図面の簡単な説明】
【００４２】
【図１】コネクタと基板側コネクタとを離間させた状態の斜視図
【図２】第１端子金具と基板側コネクタとの接続部分をあらわす縦断面図
【図３】第２端子金具と基板側コネクタとの接続部分をあらわす縦断面図
【図４】第１端子金具の並列状態をあらわす平面図
【図５】第２端子金具の並列状態をあらわす底面図
【図６】第１タブと第２タブの並列状態をあらわす背面図
【図７】図４のＡ−Ａ断面図
【図８】図４のＢ−Ｂ断面図
【図９】連鎖端子に支持された第１端子金具をハウジングに組み付けた状態をあらわす平面図
【図１０】図９のＣ−Ｃ断面図
【図１１】連鎖端子の平面図
【図１２】図１１のＤ−Ｄ断面図
【図１３】第１端子金具と第２端子金具との位置関係をあらわす平面図
【図１４】第１端子金具の平面図
【図１５】第２端子金具の平面図
【図１６】第１端子金具と第２端子金具との位置関係をあらわす背面図
【図１７】第１端子金具の背面図
【図１８】第２端子金具の背面図
【図１９】第１端子金具と第２端子金具との位置関係をあらわす側面図
【図２０】第１端子金具の側面図
【図２１】第２端子金具の側面図
【符号の説明】
【００４３】
１０…コネクタ
１１…ハウジング
２０ａ…第１端子金具（端子金具）
２１ａ…第１電線接続部
２２ａ…第１タブ
３０…連鎖端子
３１…キャリア
３４…破断部
【図１】
2005123079.tif 000003
【図２】
2005123079.tif 000004
【図３】
2005123079.tif 000005
【図４】
2005123079.tif 000006
【図５】
2005123079.tif 000007
【図６】
2005123079.tif 000008
【図７】
2005123079.tif 000009
【図８】
2005123079.tif 000010
【図９】
2005123079.tif 000011
【図１０】
2005123079.tif 000012
【図１１】
2005123079.tif 000013
【図１２】
2005123079.tif 000014
【図１３】
2005123079.tif 000015
【図１４】
2005123079.tif 000016
【図１５】
2005123079.tif 000017
【図１６】
2005123079.tif 000018
【図１７】
2005123079.tif 000019
【図１８】
2005123079.tif 000020
【図１９】
2005123079.tif 000021
【図２０】
2005123079.tif 000022
【図２１】
2005123079.tif 000023